(57)【要約】【課題】灯体の傾倒角度の調整を安価且つ容易にでき灯体を所定角度に確実に保持することができる照明装置を提供することを課題とする。【解決手段】照明装置１００は、建物の天井に固定する枠体２０と、発光部３２を有する灯体４０と、灯体４０を枠体２０に対して回動軸Ｑを介して回動可能に取り付けられた２枚の支持板６０、６０と、を有する。支持板６０は、灯体４０に固定した一端に対し回動軸Ｑを間に挟んだ反対側の他端に、所定の角度で設けた第１の当接面６１および第２の当接面６２を有する。枠体２０は、灯体４０を第１の回動位置に配置した状態で支持板６０の第１の当接面６１に当接して灯体４０の回動を規制する第１の回動規制面１１、および灯体４０を第２の回動位置に配置した状態で支持板６０の第２の当接面６２に当接して灯体４０の回動を規制する第２の回動規制面１２を有する。【選択図】      図１
2020047567.tif 000002
【特許請求の範囲】
【請求項１】
被取付部に固定する固定部材と；
光源を有する灯体と；
前記固定部材および前記灯体の一方に固定され、前記固定部材および前記灯体の他方に回動軸を介して回動可能に取り付けられ、前記光源から出射する光が第１の方向に向く第１の回動位置と前記光源から出射する光が前記第１の方向と異なる第２の方向に向く第２の回動位置との間で前記灯体を前記固定部材に対して前記回動軸を中心に回動可能に支持した回動支持部材と；を有し、
前記回動支持部材は、前記固定部材および前記灯体の一方に固定した一端を有し、前記回動軸に対し前記一端と反対側の他端に、所定の角度で設けた第１の当接面および第２の当接面を有し、
前記固定部材および前記灯体の他方は、前記灯体を前記第１の回動位置に配置した状態で前記回動支持部材の前記第１の当接面に当接して前記灯体の回動を規制する第１の回動規制面、および前記灯体を前記第２の回動位置に配置した状態で前記回動支持部材の前記第２の当接面に当接して前記灯体の回動を規制する第２の回動規制面を有する、
照明装置。
【請求項２】
前記固定部材は、建物の天井に固定する枠体であり、
前記第１の方向が前記天井から床に向かう鉛直下方であり、
前記第２の当接面が前記第１の当接面より大きい、
請求項１の照明装置。
【請求項３】
前記回動支持部材は、前記灯体を前記第２の回動位置に配置した状態で前記固定部材および前記灯体の他方に設けた第３の回動規制面に当接する第３の当接面を有する補強部分をさらに有する、
請求項２の照明装置。
【請求項４】
被取付部に固定する固定部材と；
光源を有する灯体と；
前記固定部材および前記灯体の一方に一端を固定し、前記固定部材および前記灯体の他方に回動軸を介して回動可能に取り付けた回動支持部材であって、前記灯体を前記固定部材に対する第１の回動位置に配置した状態で前記固定部材および前記灯体の他方に設けた第１の回動規制面に当接して前記灯体の回動を規制する第１の当接面、および前記灯体を前記固定部材に対する第２の回動位置に配置した状態で前記固定部材および前記灯体の他方に設けた第２の回動規制面に当接して前記灯体の回動を規制する第２の当接面を、前記回動軸に対して前記一端と反対の他端に有する回動支持部材と；
を有する照明装置。
【発明の詳細な説明】
【技術分野】
【０００１】
本発明の実施形態は、例えば、建物の天井に取り付けるダウンライトなどの照明装置に関する。
【背景技術】
【０００２】
従来、建物の天井に取り付ける照明装置として、天井に設けた取付孔に埋設するタイプのダウンライトが知られている。ダウンライトは、例えば、天井の取付孔に固定する枠体と、光源を備えた灯体と、を有し、天井から床に向けて照明光を真下に出射する。
【０００３】
また、枠体（天井）に対して灯体を回動可能に取り付けたユニバーサルダウンライトも普及されている。ユニバーサルダウンライトは、灯体の光軸を傾けることができるため、照明光の出射方向を所望する方向に傾けることができる。
【先行技術文献】
【特許文献】
【０００４】
【特許文献１】特開平７−８５７１８号公報
【発明の概要】
【発明が解決しようとする課題】
【０００５】
ユニバーサルダウンライトにおいて、一般に、灯体を傾ける角度は、例えば、灯体を傾けたときに灯体の一部を枠体に当接させることにより制限される。このため、灯体を所望する角度に傾けて保持するためには、灯体および／或いは枠体の当接部分の形状を所定角度に形成する必要があり、設計の自由度が低い。また、例えば、灯体を傾ける角度を変えたい場合には、灯体および／或いは枠体の当接部分の形状を変える必要があり、製造コストが高くなる。
【０００６】
よって、灯体の傾倒角度の調整を安価且つ容易にでき灯体を所定角度に確実に保持することができる照明装置の開発が望まれている。
【課題を解決するための手段】
【０００７】
実施形態に係る照明装置は、被取付部に固定する固定部材と、光源を有する灯体と、固定部材および灯体の一方に固定され、固定部材および灯体の他方に回動軸を介して回動可能に取り付けられ、光源から出射する光が第１の方向に向く第１の回動位置と光源から出射する光が第１の方向と異なる第２の方向に向く第２の回動位置との間で灯体を固定部材に対して回動軸を中心に回動可能に支持した回動支持部材と、を有する。回動支持部材は、固定部材および灯体の一方に固定した一端を有し、回動軸に対し一端と反対側の他端に、所定の角度で設けた第１の当接面および第２の当接面を有する。固定部材および灯体の他方は、灯体を第１の回動位置に配置した状態で回動支持部材の第１の当接面に当接して灯体の回動を規制する第１の回動規制面、および灯体を第２の回動位置に配置した状態で回動支持部材の第２の当接面に当接して灯体の回動を規制する第２の回動規制面を有する。
【発明の効果】
【０００８】
実施形態によると、灯体の傾倒角度の調整を安価且つ容易にでき灯体を所定角度に確実に保持することができる照明装置を提供することができる。
【図面の簡単な説明】
【０００９】
【図１】図１は、実施形態に係る照明装置を示す斜視図である。
【図２】図２は、図１の照明装置の枠体を示す分解斜視図である。
【図３】図３は、図１の照明装置の灯体を示す分解斜視図である。
【図４】図４は、図１の照明装置の灯体を枠体に対して傾斜させた状態を示す要部の概略図である。
【図５】図５は、図１の照明装置の灯体を枠体と同軸に配置した状態を示す要部の概略図である。
【発明を実施するための形態】
【００１０】
照明装置１００は、建物の天井に固定する枠体２０と、発光部３２を有する灯体４０と、一端を灯体４０に固定し、他端を枠体２０に対して回動軸Ｑを介して回動可能に取り付けた２枚の支持板６０、６０と、を有する。２枚の支持板６０、６０は、発光部３２から出射する光が第１の方向に向く第１の回動位置と発光部３２から出射する光が第１の方向と異なる第２の方向に向く第２の回動位置との間で灯体４０を枠体２０に対して回動可能に支持する。各支持板６０は、灯体４０に固定した一端に対し回動軸Ｑを間に挟んだ反対側の他端に、所定の角度で設けた第１の当接面６１および第２の当接面６２を有する。枠体２０は、灯体４０を第１の回動位置に配置した状態で支持板６０の第１の当接面６１に当接して灯体４０の回動を規制する第１の回動規制面１１、および灯体４０を第２の回動位置に配置した状態で支持板６０の第２の当接面６２に当接して灯体４０の回動を規制する第２の回動規制面１２を有する。
【００１１】
以下、図面を参照しながら実施形態について詳細に説明する。  
図１に示すように、実施形態に係る照明装置１００は、枠体２０（固定部材）と、灯体４０と、２枚の支持板６０、６０（回動支持部材）と、を有する。また、照明装置１００は、灯体４０の後述する光源モジュール３０（図３）と接続した図示しない電源装置を有する。本実施形態の照明装置１００は、例えば、建物の天井（被取付部）に設けた図示しない取付孔に取り付け可能なユニバーサルダウンライトである。
【００１２】
以下の説明では、光源モジュール３０の発光部３２（光源）から出射される光の発光面３１と垂直な中心軸を光軸Ｏと称し、天井に取り付けた枠体２０の中心を通る鉛直方向に延びた軸を中心軸Ｐと称する。本実施形態の照明装置１００は、枠体２０を天井に固設しているとともに、支持板６０、６０を介して灯体４０を枠体２０に対して回動可能に支持している。よって、枠体２０の中心軸Ｐは天井に対して固定配置され、灯体４０の光軸Ｏは中心軸Ｐに対して傾けることができる。図１は、灯体４０を枠体２０に対して傾倒させた第２の回動位置に配置した状態を示す。
【００１３】
図２に示すように、枠体２０は、天井の取付孔に固定する略円筒形の化粧枠２２、および化粧枠２２に対して中心軸Ｐを中心に回動可能に取り付けた略円筒形の回動枠２４を有する。回動枠２４は、化粧枠２２の図示上端に重ねて配置される（図１）。化粧枠２２および回動枠２４は、中心軸Ｐに沿って同軸に取り付けられる。化粧枠２２および回動枠２４は、天井の取付孔よりわずかに小さい外径を有する。
【００１４】
化粧枠２２は、天井面（床側の面）に係合する円環状のフランジ部２２ａを軸方向の一端に有する。フランジ部２２ａの直径は、天井の取付孔の直径より大きい。また、化粧枠２２は、化粧枠２２を天井に固定するための３枚の固定バネ２１を備えている。化粧枠２２は、３枚の固定バネ２１とフランジ部２２ａの間に天井の壁を挟むことで天井に固定される。よって、回動枠２４および３枚の固定バネ２１は、天井裏に配置される。
【００１５】
３枚の固定バネ２１は、化粧枠２２の外周面にネジ２３（図２に１本のみ図示）により締結固定されている。化粧枠２２は、ネジ２３を螺合する３つのネジ孔を有する。各ネジ孔は、化粧枠２２の円筒部分の壁を貫通して設けられている。各固定バネ２１は、化粧枠２２の外周面に対して接線方向に延設された固定部２１ａと、固定部２１ａの先端側から化粧枠２２の径方向に一体に放射状に延設されたバネ部２１ｂと、を有する。３枚の固定バネ２１は、固定部２１ａが同じ方向に向く姿勢で化粧枠２２の周方向に等間隔で取り付けられている。
【００１６】
固定バネ２１は、固定部２１ａを化粧枠２２の外周面に近付ける方向に変形可能であるとともに、バネ部２１ｂを後述する灯体４０に近づく方向に変形可能である。このため、３枚の固定バネ２１を化粧枠２２よりわずかに大径な取付孔に挿通可能となっている。これら３枚の固定バネ２１を用いた化粧枠２２の取り付け方法については周知技術であるためその説明を省略する。
【００１７】
３枚の固定バネ２１は、上述したように、ネジ２３を用いて化粧枠２２に締結固定される。一方、回動枠２４は、化粧枠２２の上端内側に挿入配置される円筒部２５を有する。円筒部２５の外径は化粧枠２２の内径より小さい。円筒部２５の外周には、化粧枠２２の内面に対向する円環状の溝２５ａが設けられている。この円環状の溝２５ａは、３枚の固定バネ２１を化粧枠２２に対して締結固定するためのネジ２３の先端をスライド可能に受け入れることができる幅および深さを有する。ネジ２３は、少なくとも化粧枠２２の壁厚を超える長さを有する。
【００１８】
つまり、化粧枠２２の上端から回動枠２４の円筒部２５を挿通配置して、３枚の固定バネ２１を化粧枠２２の外周面に締結固定すると、各ネジ２３の先端が化粧枠２２の内面から突出し、回動枠２４の円筒部２５に設けた溝２５ａ内に配置される。各ネジ２３を挿通する化粧枠２２のネジ孔および回動枠２４の円筒部２５に設けた溝２５ａの位置は、ネジ２３の先端が溝２５ａに入る位置に設計されている。
【００１９】
このため、円筒部２５を化粧枠２２の上端に挿入して、３枚の固定バネ２１を化粧枠２２に取り付けると、３本のネジ２３の先端が円筒部２５の溝２５ａ内に挿入される。この状態で、３本のネジ２３の先端が溝２５ａに沿って移動可能となり、回動枠２４が化粧枠２２に対して中心軸Ｐを中心に回動可能となる。上述したように、化粧枠２２は天井に固定されるため、回動枠２４は、天井に固定された化粧枠２２に対して中心軸Ｐを中心に回動可能となる。
【００２０】
この他に、化粧枠２２には、回動枠２４の抜けを防止するとともに回動枠２４の回動を制御する板片８０（回動制御部材）が取り付けられる。板片８０は、矩形の金属板を略Ｌ字形に折り曲げた形状を有する。板片８０は、Ｌ字状に折り曲げた一方の係合片部８１を回動枠２４の化粧枠２２から離間した図示上端に係合させた状態で、化粧枠２２の外周面にネジ８２により締結固定される。このように、板片８０を化粧枠２２に固定することで、回動枠２４の化粧枠２２に対する回動を許容するとともに、回動枠２４が化粧枠２２と分離してしまう不具合を防止することができる。
【００２１】
なお、化粧枠２２と回動枠２４の間には、図２に示すように、軸方向の一端側に収束した略円錐台形の筒状の反射板２６が配置されている。化粧枠２２は、反射板２６の拡開した開口縁に設けたフランジ部２６ａを載置する円環状の段部２２ｂをその内面に有する。つまり、化粧枠２２の段部２２ｂ上に反射板２６のフランジ部２６ａを載せて回動枠２４を取り付けることにより、反射板２６が化粧枠２２と回動枠２４の間に挟まれて取り付けられる。
【００２２】
また、回動枠２４は、化粧枠２２から離間した上端側に、２枚の支持板６０をそれぞれ回動可能に取り付けるための２つの板状の突出部分２８、２８を有する。２つの突出部分２８、２８は、回動枠２４の径方向に離間した位置で回動枠２４と一体に設けられている。２つの突出部分２８、２８は、回動枠２４の図示上端から中心軸Ｐと平行に上方に突出して設けられている。
【００２３】
各突出部分２８は、その上端近くの互いに向かい合う内面側に凹所２８ａを有する。凹所２８ａ内には、図示しないスプリングワッシャおよびロックナット２９ｂ（図１）が収容配置される。凹所２８ａは、ロックナット２９ｂが回らないようロックナット２９ｂの外形にあわせた内面形状を有する。また、突出部分２８は、支持板６０を取り付けるための回動ネジ２９ａ（図１）を挿通する挿通孔２８ｂを有する。２つの突出部分２８に設けた挿通孔２８ｂは、同軸に配置されている。挿通孔２８ｂは、凹所２８ａに連通するよう突出部分２８を貫通して設けられている。
【００２４】
また、突出部分２８は、その上端の外面側に、支持板６０の図示下端部分を収容配置する凹所１０を有する。回動ネジ２９ａを挿通する上述した挿通孔２８ｂは、この凹所１０に設けられている。凹所１０には、後述する第１の回動規制面１１および第２の回動規制面１２が設けられている。
【００２５】
回動枠２４に２枚の支持板６０を取り付ける場合、各突出部分２８の外面側の凹所１０内に各支持板６０の下端部分を重ねて配置し、支持板６０の挿通孔６５（図３参照）および突出部分２８の挿通孔２８ｂを同軸に配置する。そして、挿通孔６５および挿通孔２８ｂに回動ネジ２９ａを挿通し、突出部分２８の凹所２８ａ内に配置した図示しないスプリングワッシャに回動ネジ２９ａを通してロックナット２９ｂを螺合する。ロックナット２９ｂは、回動ネジ２０ａの途中で固定され、支持板６０が突出部分２８に対して回動可能に取り付けられる。
【００２６】
回動枠２４の突出部分２８の凹所１０にある第１の回動規制面１１および第２の回動規制面１２、および支持板６０の第１の当接面６１および第２の当接面６２は、支持板６０の回動枠２４に対する回動ネジ２９ａを中心とした回動位置を規制する。突出部分２８の第１の回動規制面１１および第２の回動規制面１２、および支持板６０の第１の当接面６１および第２の当接面６２については後に詳述する。
【００２７】
図３に示すように、灯体４０は、レンズ枠４２、レンズ４４、押えバネ４５、放熱器４６、および光源モジュール３０を有する。上述した支持板６０の図示上端は、ネジ６６を用いてレンズ枠４２に固定される。レンズ枠４２の外周面には、支持板６０を嵌め込む２つの凹所４３が設けられている。２つの凹所４３は、レンズ枠４２の径方向に離間して設けられている。凹所４３は、支持板６０の外形と同じ形に形成されており、支持板６０の表裏を間違えて取り付ける不具合を防止している。２つの凹所４３の底面は互いに平行な面である。
【００２８】
支持板６０をレンズ枠４２の凹所４３に取り付ける場合、支持板６０の表裏を凹所４３の形状に合わせて支持板６０を凹所４３に嵌め、支持板６０の挿通孔６７にネジ６６を挿通してレンズ枠４２の凹所４３のネジ孔５１に螺合する。これにより、支持板６０が正しい向きでレンズ枠４２に締結固定される。以上のように、２枚の支持板６０を介してレンズ枠４２と回動枠２４を接続すると、レンズ枠４２（すなわち灯体４０）は、天井に固定した枠体２０に対し、中心軸Ｐを中心に回動可能となるとともに、回動軸Ｑを中心に傾倒可能となる。
【００２９】
レンズ枠４２は、略円筒状の筒状部４２ａ、筒状部４２ａの図示下端から図示下方に突出した２つの湾曲した遮光壁４２ｂ、および筒状部４２ａの図示上端から図示上方に突出した２つの突出板部４２ｃを一体に有する。２つの突出板部４２ｃは、レンズ枠４２の周方向に沿って上述した凹所４３と同じ位置に配置されている。２つの遮光壁４２ｂは、レンズ枠４２の周方向に沿って上述した凹所４３と９０°異なる位置に配置されている。遮光壁４２ｂは、例えば、灯体４０を枠体２０に対して図１に示す状態に傾倒させたとき、灯体４０と枠体２０の間の隙間から漏れる迷光を少なくするよう機能する。
【００３０】
筒状部４２ａは、その内側にレンズ４４を保持している。レンズ４４は、その外周上に円環状のフランジ部４４ａを一体に有する。レンズ４４を筒状部４２ａに取り付ける場合、筒状部４２ａの図示上端側からレンズ４４を挿入する。そして、フランジ部４４ａを筒状部４２ａの内面に設けた図示しない円環状の段部上に載置する。さらに、フランジ部４４ａの図示上方（段部と反対側）から略円環状の押えバネ４５を筒状部４２ａ内に挿入して、押えバネ４５を筒状部４２ａの図示しない所定の溝内に固定する。これにより、レンズ４４のフランジ部４４ａを筒状部４２ａの内面に設けた段部と押えバネ４５により挟んで、レンズ４４をレンズ枠４２内に固定する。
【００３１】
この状態で、レンズ４４の光軸は灯体４０の光軸Ｏと重なる。レンズ４４は、筒状部４２ａの軸方向の長さよりわずかに大きい光軸方向の厚みを有する。レンズ４４は、光の入射側（図示上端側）に凹レンズ面を有する。レンズ４４は、光の出射側（図示下端側）に凸レンズ面を有する。
【００３２】
レンズ枠４２の上述した突出板部４２ｃは、筒状部４２ａの軸方向一端（図示上端）に放熱器４６を連結固定するための固定ネジ５２を挿通するための挿通孔５３を有する。放熱器４６は、レンズ枠４２の一端を塞ぐ略円板状のベース板４６ａを有する。ベース板４６ａの外周縁には、上述したレンズ枠４２の２つの突出部分２８を嵌合するための２つの切欠き４６ｂが設けられている。２つの切欠き４６ｂは、レンズ枠４２の２つの突出部分２８に対向して、ベース板４６ａの径方向に離間した位置に設けられている。
【００３３】
ベース板４６ａのレンズ枠４２と反対側の図示上面には、複数枚（本実施形態では５枚）の放熱フィン４６ｃが一体に立設されている。各放熱フィン４６ｃは、光軸Ｏに沿って互いに略平行に延設されている。放熱フィン４６ｃは、ベース板４６ａの上面から鉛直上方に延びている。
【００３４】
５枚の放熱フィン４６ｃのうち外側の２枚の放熱フィン４６ｃは、上述した切欠き４６ｂに対向してレンズ枠４２の２つの突出板部４２ｃが重なるボス部４６ｄを備えている。各ボス部４６ｄは、切欠き４６ｂに連続して、対応する外側の２枚の放熱フィン４６ｃの外側に一体に設けられている。各ボス部４６ｄには、突出板部４２ｃの挿通孔５３に挿通する固定ネジ５２を螺合するためのネジ穴４６ｅが設けられている。
【００３５】
放熱器４６をレンズ枠４２の図示上端に固定する場合、レンズ枠４２の２つの突出板部４２ｃを放熱器４６のベース板４６ａの切欠き４６ｂにそれぞれ嵌合し、各突出板部４２ｃの内側にボス部４６ｄを重ねる。このとき、放熱器４６のベース板４６ａの下面がレンズ枠４２の筒状部４２ａの上端に当接する。そして、２つの突出板部４２ｃの外側から挿通孔５３に固定ネジ５２をそれぞれ挿通し、ボス部４６ｄのネジ穴４６ｅに螺合して締結する。これにより、放熱器４６がレンズ枠４２の一端に固定される。
【００３６】
放熱器４６のベース板４６ａの図示下面には、光源モジュール３０が取り付けられている。光源モジュール３０は、ＬＥＤ（light emitting diode）などの図示しない複数の半導体発光素子を含む発光部３２（光源）を有し、発光部３２を基板３３の表面に設けた構造を有する。発光部３２は、天井面と平行な発光面３１を有し、この発光面３１の中心を通る発光面３１と垂直な軸が光軸Ｏとなる。発光部３２の光軸Ｏは、レンズ４４の光軸Ｏと一致する。発光部３２は、光軸Ｏを中心とした光を出射する。
【００３７】
また、放熱器４６は、図示しない電源装置から引き出された図示しない給電ケーブルを接続するための図示しないコネクタを収容配置した収容部（図示せず）を有する。この収容部は、カバー４７によって覆われている。カバー４７は、給電ケーブルを挿通するための孔４７ａを有する。なお、放熱フィン４６ｃの枚数は５枚に限定されず任意に変更可能である。
【００３８】
以下、枠体２０に対する灯体４０の傾倒角度を制御するための構成およびその作用について、主に図４および図５を参照して説明する。なお、以下の説明では、枠体２０と灯体４０を回動可能に接続した一方の支持板６０およびその周辺部材について代表して説明し、他方の構成部材に関する説明を省略する。
【００３９】
上述したように、灯体４０は、２枚の支持板６０、６０を介して枠体２０に対して傾倒可能に設けられている。図４は、天井に固定した枠体２０に対して灯体４０を傾けた第２の回動位置に灯体４０を配置した状態を示し、図５は、枠体２０に対して灯体４０を同軸にした第１の回動位置に灯体４０を配置した状態を示す。
【００４０】
図４に示すように灯体４０を第２の回動位置に回動させると、灯体４０の光軸Ｏが中心軸Ｐに対して傾斜され、発光部３２から出射された光が鉛直下方に対して傾斜した方向（第２の方向）に向かって照射される。一方、図５に示すように灯体４０を第１の回動位置に回動させると、灯体４０の光軸Ｏが中心軸Ｐと重なり、発光部３２から出射された光が鉛直下方（第１の方向）に向かって照射される。
【００４１】
灯体４０を支える枠体２０の突出部分２８は、第１の回動規制面１１、第２の回動規制面１２、および第３の回動規制面１３を有する。第１および第２の回動規制面１１、１２は、突出部分２８の外面側の凹所１０の図示下端縁に沿って並んで設けられている。第２の回動規制面１２は、枠体２０の中心軸Ｐと直交する平らな面であり、第１の回動規制面１１は、第２の回動規制面１２に対して傾斜した面である。具体的には、第１の回動規制面１１は、灯体４０が傾倒する方向と反対側の第２の回動規制面１２の端辺（図示右端辺）に連続して図示上方に傾斜した平らな面である。第３の回動規制面１３は、第２の回動規制面１２の図示左端辺に連続して中心軸Ｐと平行に図示下方に延びた平らな面である。
【００４２】
一方、支持板６０は、突出部分２８の第１の回動規制面１１に当接する第１の当接面６１、第２の回動規制面１２に当接する第２の当接面６２、および第３の回動規制面１３に当接する第３の当接面６３ａを有する。第３の当接面６３ａは、支持板６０の一部を突出させた補強部分６３に設けられている。第１乃至第３の当接面６１、６２、６３ａは、それぞれ、支持板６０の端面であり、支持板６０の表面と直交する面である。第１および第２の当接面６１、６２は、回動ネジ２９ａに対して灯体４０と反対側の支持板６０の端縁に設けられている。
【００４３】
補強部分６３は、支持板６０を図４に示す姿勢に回動させた状態で、鉛直下方に向けて突出する略矩形の板片である。補強部分６３の第３の当接面６３ａは、第２の当接面６２と直交する面である。補強部分６３の形状は図示のものに限定されず、任意に変更可能である。
【００４４】
第１および第２の当接面６１、６２の間には、切欠き部６４が設けられている。切欠き部６４は、支持板６０を回動させる際に突出部分２８の第１の回動規制面１１および／或いは第２の回動規制面１２に支持板６０が干渉しないように設けられている。仮に、切欠き部６４を設けない場合、第１の当接面６１と第２の当接面６２が交差する架空の線は、支持板６０の挿通孔６５の中心を通る中心線からずれた位置に配置される。
【００４５】
例えば、図４に示す第２の回動位置から図５に示す第１の回動位置に向けて灯体４０を図示時計回り方向に回動させると、支持板６０の第１の当接面６１が回動枠２４の突出部分２８の第１の回動規制面１１に当接し、灯体４０のそれ以上の回動を規制する。支持板６０の第１の当接面６１の角度は、第１の当接面６１を第１の回動規制面１１に当接させた状態で、灯体４０の光軸Ｏが枠体２０の中心軸Ｐと平行になる角度に形成されている。
【００４６】
一方、図５に示す第１の回動位置から図４に示す第２の回動位置に向けて灯体４０を図示反時計回り方向に回動させると、支持板６０の第２の当接面６２が回動枠２４の突出部分２８の第２の回動規制面１２に当接し、灯体４０のそれ以上の回動を規制する。支持板６０の第２の当接面６２の角度は、第２の当接面６２を第２の回動規制面１２に当接させた状態で、灯体４０の光軸Ｏが枠体２０の中心軸Ｐに対して傾斜する角度に形成されている。
【００４７】
言い換えると、支持板６０の第１の当接面６１と第２の当接面６２がなす角度は、突出部分２８の第１の回動規制面１１と第２の回動規制面１２がなす角度より、灯体４０の傾倒角度分だけ小さくされている。さらに言い換えると、突出部分２８の第１および第２の回動規制面１１、１２の角度を固定した場合、支持板６０の第１の当接面６１と第２の当接面６２のなす角度を調整することにより、灯体４０の枠体２０に対する傾倒角度を任意に変更することができる。
【００４８】
なお、灯体４０を図４に示す第２の回動位置に配置すると、支持板６０の図示下端近くから突出して設けた補強部分６３の第３の当接面６３ａが突出部分２８の第３の回動規制面１３に当接する。灯体４０を枠体２０と同軸に配置した図５の状態で第１の当接面６１と第１の回動規制面１１との間に作用する加重に対し、灯体４０を枠体２０に対して傾けた図４の状態で第２の当接面６２と第２の回動規制面１２との間に作用する加重の方が大きくなる。このため、図４に示す第２の回動位置に灯体４０を傾けたときに加重を受ける補強部分６３を設けた。
【００４９】
また、灯体４０を第２の回動位置に配置した状態で、より強い加重を支持するため、支持板６０の第２の当接面６２の面積を第１の当接面６１の面積より大きくした。本実施形態では、支持板６０を１枚の金属板により形成したため、第２の当接面６２の回動軸Ｑと直交する方向の長さを第１の当接面６１の回動軸Ｑと直交する方向の長さより長くした。
【００５０】
以上のように、本実施形態によると、灯体４０に固定した支持板６０の灯体４０から離間した端縁に第１および第２の当接面６１、６２を設けたため、第１および／或いは第２の当接面６１、６２の傾斜角度を変更するだけのわずかな設計変更により、灯体４０の枠体２０に対する傾倒角度を変更することができる。このため、本実施形態によると、第１および第２の当接面６１、６２の角度が異なる支持板６０を付け替えるだけで、灯体４０の傾倒可能角度を安価且つ容易に変更することができる。
【００５１】
また、本実施形態によると、灯体４０を図４に示す第２の回動位置に配置した状態で、支持板６０の第２の当接面６２を突出部分２８の第２の回動規制面１２に当接させ、且つ補強部分６３の第３の当接面６３ａを突出部分２８の第３の回動規制面１３に当接させることができ、灯体４０を所定角度に傾けた状態で確実に保持することができる。このとき、第２の当接面６２を第１の当接面６１より大きくしたため、灯体４０を傾けた加重のかかり易い状態において、灯体４０を確実に所定角度に保持することができる。
【００５２】
以上、本発明の実施形態を説明したが、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態は、発明の範囲や要旨に含まれるとともに、特許請求の範囲に記載された発明とその均等の範囲に含まれる。
【００５３】
例えば、上述した実施形態では、２枚の支持板６０の一端を灯体４０に固定して他端を枠体２０に対して回動可能に接続したが、これに限らず、各支持板６０の一端を枠体２０に固定して他端を灯体４０に対して回動可能に接続してもよい。
【符号の説明】
【００５４】
１０…凹所、１１…第１の回動規制面、１２…第２の回動規制面、２０…枠体、２１…固定バネ、２２…化粧枠、２４…回動枠、２６…反射板、２８…突出部分、２９ａ…回動ネジ、３０…光源モジュール、３１…発光面、３２…発光部、４０…灯体、６０…支持板、６１…第１の当接面、６２…第２の当接面、８０…板片、１００…照明装置、Ｏ…光軸、Ｐ…中心軸、Ｑ…回動軸。
【図１】
2020047567.tif 000003
【図２】
2020047567.tif 000004
【図３】
2020047567.tif 000005
【図４】
2020047567.tif 000006
【図５】
2020047567.tif 000007